(57)【要約】【課題】組立性及びメンテナンス性が向上した静電式空気清浄装置を提供することを目的とする。【解決手段】前部熱交換器の前面に設けられる静電式空気清浄装置８を、下面に高圧電源１２を着脱自在に装着した箱体状に形成され空気調和機本体に取付具により固定されたベース９と、上面が開放された箱体状に形成され、放電電極と対向電極とからなるアイオナイザ１３と、集塵電極とを格納し前記ベース９に前面に突設された係合爪１０ｅ及び背面に設けられた係合爪１０ｆにより固定される後部カバー１０と、前面に空気が流入する流入孔を形成し前記後部カバー１０に嵌着される前部カバー１１とで構成する。【選択図】  図２
2004167391.tif 000002
【特許請求の範囲】
【請求項１】
左右に底面部を備えた箱体状に形成され、前面壁に複数の係合孔を穿設し、後面内壁に複数の係止片を突設させたベースと、上面が開放されるとともに下面に流出孔を開口した箱体状に形成され、放電電極と対向電極とからなるアイオナイザと、同アイオナイザにより帯電された塵埃を捕集、吸着する集塵電極とを順次格納し、前縁に突設した係合爪を前記係合孔に係合させるとともに、後縁に突設させた係止爪を前記係止片に係止させて前記ベースに装着される後部カバーと、前面に複数の横桟により空気が流入する流入孔を形成し前記後部カバーの開放された上面に嵌着される前部カバーとで構成されてなることを特徴とする静電式空気清浄装置。
【請求項２】
前記ベースに備えられた右側底面部または左側底面部いずれかの下面に前記放電電極に高電圧を印加する高圧電源を着脱自在に装着してなることを特徴とする請求項１に記載の静電式空気清浄装置。
【請求項３】
前記高圧電源に接続された正側と負側の電極端子を、同高圧電源が装着された底面部から上面に導出させ、前記放電電極の一端と他端とに接続された端子を、前記正側と負側の電極端子に対応するように前記後部カバーの下面に導出させてなることを特徴とする請求項１または請求項２に記載の静電式空気清浄装置。
【請求項４】
前記後部カバーの下面に設けられた流出孔に手指の侵入を防止する複数の安全バーを、同後部カバーと一体に形成してなることを特徴とする請求項１に記載の静電式空気清浄装置。
【請求項５】
前記前部カバーの流入孔を形成する横桟の断面を、先端が鋭角な楔状に形成してなることを特徴とする請求項１に記載の静電式空気清浄装置。
【発明の詳細な説明】
【０００１】
【発明の属する技術分野】
本発明は、空気調和機等の本体内に内蔵される静電式空気清浄装置に関わり、より詳細には、同静電式空気清浄装置の組立性及びメンテナンス性を向上させた構成に関する。
【０００２】
【従来の技術】
従来の静電式空気清浄装置は、例えば図４に示すような空気調和機の本体内に内蔵されて用いられている。空気調和機は、本体の前面に前面吸込口３０を、上面に上面吸込口３１を設け、これらの間に静電式空気清浄装置３６用の補助吸込口３２を設けるとともに、本体の前面下部に風向偏向板を備えた吹出口３３を設けている。前記吸込口と同吹出口３３を結ぶ空気通路には、垂直部３４ａと同垂直部３４ａの上端を折曲して後方に傾斜させた後方傾斜部３４ｂと同後方傾斜部３４ｂの上端を折曲して前方に傾斜させた前方傾斜部３４ｃとからなる熱交換器３４と、同熱交換器３４で熱交換された空気を前記吹出口３３から室内に送出する送風ファン３５とが設けられている。
【０００３】
前記後方傾斜部３４ｂの前面には前記補助吸込口３２に臨むように静電式空気清浄装置３６が装着されている。同静電式空気清浄装置３６は前面に吸込口を形成し後面が開放されたカバー内に、上下に並設された複数の放電針３６ａと、同放電針３６ａを挟持するように上下に配設された平板状の対向電極３６ｂとからなるアイオナイザと、同アイオナイザの下流側に塵埃を捕集、吸着する集塵部を設けている。前記補助吸込口３２から吸込まれた空気に含有される塵埃は、前記アイオナイザにより正側あるいは負側に帯電され、これらと対極となるように印加された前記集塵部に捕集、吸着されるようになっている。また、図示されてはいないが、本体の一側には前記アイオナイザの放電針に高電圧を印加する高圧電源が設けられている。（特許文献１参照）
【０００４】
しかしながら、組立工程において、上記した静電式空気清浄装置３６のように一体となったカバー内に前記放電針３６ａ、前記対向電極３６ｂ及び集塵部を順次組み込む作業は作業性が良いとは言えず、また故障修理の際は、前記静電式空気清浄装置３６を空気調和機の本体そのものから抜脱する必要があり、これらの不具合点に対し改善が求められていた。また、空気調和機本体の小型化をはかる際、前記高圧電源の配置が制約条件となることがあり、対応策が求められていた。
【０００５】
【特許文献１】
特開平６−１５４６５１号
【０００６】
【発明が解決しようとする課題】
本発明は上記問題点に鑑み、組立性に優れ、また故障修理の際は対応が容易、迅速に行える静電式空気清浄装置を提供することを目的とする。
【０００７】
【課題を解決するための手段】
本発明は上記課題を解決するため、左右に底面部を備えた箱体状に形成され、前面壁に複数の係合孔を穿設し、後面内壁に複数の係止片を突設させたベースと、上面が開放されるとともに下面に流出孔を開口した箱体状に形成され、放電電極と対向電極とからなるアイオナイザと、同アイオナイザにより帯電された塵埃を捕集、吸着する集塵電極とを順次格納し、前縁に突設した係合爪を前記係合孔に係合させるとともに、後縁に突設させた係止爪を前記係止片に係止させて前記ベースに装着される後部カバーと、前面に複数の横桟により空気が流入する流入孔を形成し前記後部カバーの開放された上面に嵌着される前部カバーとで静電式空気清浄装置を構成する。
【０００８】
また、前記ベースに備えられた右側底面部または左側底面部いずれかの下面に前記放電電極に高電圧を印加する高圧電源を着脱自在に装着してなる構成となっている。
【０００９】
また、前記高圧電源に接続された正側と負側の電極端子を、同高圧電源が装着された底面部から上面に導出させ、前記放電電極の一端と他端とに接続された端子を、前記正側と負側の電極端子に対応するように前記後部カバーの下面に導出させてなる構成となっている。
【００１０】
また、前記後部カバーの下面に設けられた流出孔に手指の侵入を防止する複数の安全バーを、同後部カバーと一体に形成してなる構成となっている。
【００１１】
更に、前記前部カバーの流入孔を形成する横桟の断面を、先端が鋭角な楔状に形成してなる構成となっている。
【００１２】
【発明の実施の形態】
以下、本発明の実施の形態を、添付図面に基づいた実施例として詳細に説明する。
図１は本発明による静電式空気清浄装置を内蔵した空気調和機を示す断面図であり、図２は同静電式空気清浄装置を示す分解斜視図であり、更に図３は同静電式空気清浄装置を構成するカバー部を示す分解斜視図である。
まず、空気調和機の概要について説明する。空気調和機は壁面に据付けられるベース１と、同ベース１の前面に取付けられる上下に分割された上部パネル２及び下部パネル３とで本体を構成している。同本体の上面には前端から後端近傍に至るように吸込口４が形成され、下面中央には風向偏向板を前後に備えた吹出口５が形成されており、前記吸込口４と前記吹出口５とを結ぶ空気通路には、後方に傾斜した前部熱交換器６ａと、同前部熱交換器６ａの上端を折曲して前方に傾斜させた後部熱交換器６ｂとからなる熱交換器６と、同熱交換器６で熱交換された空気を室内に送出する送風ファン７が設けられている。
【００１３】
前記前部熱交換器６ａの前面には本発明による静電式空気清浄装置８が設けられている。同静電式空気清浄装置８は、図２で示すように、右側底面部９ａと左側底面部９ｂとを備えた箱体状のベース９と、同ベース９に装着固定される上面が開放された箱体状に形成され、後述するアイオナイザ１３と集塵電極１６とを順次格納した後部カバー１０と、同後部カバー１０に嵌着される下面が開放された箱体状に形成され前面に複数の横桟１１ａにより流入口を形成した前部カバー１１とで構成されている。
【００１４】
前記ベース９の右側底面部９ａの下面には、後述する放電電極に高電圧を印加する高圧電源１２が着脱自在に装着されており、同高圧電源１２に接続されバネ状に形成された正側端子１２ａが前記右側底面部９ａの中央から導出され、板状に形成された負側端子１２ｂが前面壁９ｃの内壁側に貼着されている。また、同前面壁９ｃの両側下部には矩形状の一対の係合孔９ｄが穿設されとともに、後面内壁には一対の係止片９ｅが突設されている。
【００１５】
前記後部カバー１０は、図３に示すように、右側底面部１０ｂと左側底面部１０ｃとを備え、これらの間に流出孔１０ａを開口している。同流出孔１０ａには、手指の侵入を防止する複数の安全バー１０ｄが同後部カバー１０と一体となって形成され、また下部前縁からは前記ベース９の前記係合孔９ｄに対応した係合爪１０ｅが突設されるとともに、後縁には前記係止片９ｅに係止する一対の係止爪１０ｆが突設されている。前記アイオナイザ１３は、蛇行状に形成され一端をＬ字状の電極端子１７に接続し、他端を前記後部カバー１０の底面に貼着された電極端子１８に接続した放電電極１４と、左右梁１５ａと同左右梁１５ａ間に平行して設けられた複数の電極板１５ｂとからなり、同電極板１５ｂで前記放電電極１４を上下から挟持するように配設された対向電極１５とから構成され、前記放電電極１４に高電圧が印加されると、同放電電極１４と前記対向電極１５との間にコロナ放電が発生し、同コロナ放電により周囲を通過する空気に含有される塵埃は正側あるいは負側に帯電するようになっている。
【００１６】
前記アイオナイザ１３の後方であって、前記安全バー１０ｄの前面には金網状の集塵電極１６が配設されている。同集塵電極１６は正側あるいは負側に付勢され、帯電した塵埃をクーロン力により捕集、吸着するようになっている。これら放電電極１４、対向電極１５及び集塵電極１６を収納した前記後部カバー１０には、上記したように前部カバー１１が係止爪により容易に嵌着されるようになっており、同前部カバー１１の流入口を形成する横桟の断面は、空気抵抗を低減させるように先端が鋭角な楔状に各々が形成されている。
【００１７】
次に、前記静電式空気清浄装置８の組立及びメンテナンス作業について説明する。組立の際は、前記高圧電源１２を装着した前記ベース９を空気調和機本体の前記ベース１から延設された取付具に固定する。次に、前記後部カバー１０内に前記集塵電極１６及び前記放電電極１４と前記対向電極１５とからなるアイオナイザ１３を順次格納する。続いて同後部カバー１０に前記前部カバー１１を嵌着した後、前面から突設された係合爪１０ｅを前記ベース９に穿設された係合孔９ｄに後方から挿入し、前記後部カバー１０の後縁に突設された前記係止爪１０ｆを前記係止片９ｅに係止させる。これにより、前記前部カバー１１と前記後部カバー１０とが前記ベース９に固定されるとともに、前記後部カバー１０の底面に貼着された電極端子１８が前記高圧電源１２から導出された前記正側端子１２ａに接触し、また前記電極端子１７がベース９の前面壁に設けられた前記負側端子１２ｂに接触するようになっている。
【００１８】
メンテナンス作業あるいは故障修理の際は、前記ベース９から前記後部カバー１０を係合爪を外して抜脱し、前記前部カバー１１を開けることにより、前記放電電極１４、前記対向電極１５及び前記集塵電極１６のメンテナンス及び修理対応を容易に行えるようになっている。また、前記ベース９を空気調和機本体から外すことなく前記高圧電源１２を前方にスライドさせて抜脱しメンテナンス作業及び修理対応を行うことができるようになっている。
【００１９】
【発明の効果】
以上説明したように、本発明によると、下面に高圧電源を着脱自在に装着した箱体状に形成され空気調和機本体に取付具により固定されたベースと、上面が開放された箱体状に形成され、放電電極と対向電極とからなるアイオナイザと、集塵電極とを格納し前記ベースに係合爪により固定される後部カバーと、前面に空気が流入する流入孔を形成し前記後部カバーに嵌着される前部カバーとで構成することにより、メンテナンス作業あるいは故障修理の対応を迅速、容易に行える静電式空気清浄装置とすることができる。
【図面の簡単な説明】
【図１】本発明による静電式空気清浄装置を内蔵した空気調和機を示す断面図である。
【図２】本発明による静電式空気清浄装置を示す分解斜視図である。
【図３】本発明による静電式空気清浄装置を構成する後部カバーと前部カバーとを示す分解斜視図である。
【図４】従来例による静電式空気清浄装置を備えた空気調和機を示す断面図である。
【符号の説明】
１  ベース
２  上部パネル
３  下部パネル
４  吸込口
５  吹出口
５ａ  風向偏向板
６  熱交換器
６ａ  前部熱交換器
６ｂ  後部熱交換器
７  送風ファン
８  静電式空気清浄装置
９  ベース
９ａ  右側底面部
９ｂ  左側底面部
９ｃ  前面壁
９ｄ  係合孔
９ｅ  係止片
１０  後部カバー
１０ａ  流出孔
１０ｂ  右側底面部
１０ｃ  左側底面部
１０ｄ  安全バー
１０ｅ  係合爪
１０ｆ  係止爪
１１  前部カバー
１１ａ  横桟
１２  高圧電源
１２ａ  正側端子
１２ｂ  負側端子
１３  アイオナイザ
１４  放電電極
１５  対向電極
１５ａ  左右梁
１５ｂ  平板
１６  集塵電極
１７  電極端子
【図１】
2004167391.tif 000003
【図２】
2004167391.tif 000004
【図３】
2004167391.tif 000005
【図４】
2004167391.tif 000006